(57)【要約】【課題】システム配線の接続が簡潔であるハードディスク容量の拡張装置及びこれを備えたハードディスク容量の拡張モジュールを提供すること。【解決手段】本発明に係るハードディスク容量の拡張装置は、メインボードとハードディスクとに接続され、且つ基板、ゴールドフィンガー、信号拡張モジュール及び複数の背板コネクターを備える。前記ゴールドフィンガーは、前記メインボードに挿入接続されて前記メインボードが転送するハードディスク通信信号を獲得し、前記信号拡張モジュールは、前記ゴールドフィンガーと前記背板コネクターとに電気的に接続され、且つ１つのグループの前記ハードディスク通信信号を複数のグループのハードディスク通信信号に拡張して、複数の前記背板コネクターにそれぞれ伝送し、前記背板コネクターは、前記ハードディスクに電気的に接続されて、前記ハードディスクに前記ハードディスク通信信号を供給する。【選択図】図１
2013008367.tif 000002
【特許請求の範囲】
【請求項１】
メインボードとハードディスクとに接続されるハードディスク容量の拡張装置であって、
前記ハードディスク容量の拡張装置は、基板、ゴールドフィンガー、信号拡張モジュール及び複数の背板コネクターを備え、
前記ゴールドフィンガーは、前記基板の一方側の側辺に設けられ、且つ前記メインボードに挿入接続されて前記メインボードが転送するハードディスク通信信号を獲得し、前記信号拡張モジュールは、前記ゴールドフィンガーと複数の前記背板コネクターとに同時に電気的に接続され、且つ１つのグループの前記ハードディスク通信信号を複数のグループのハードディスク通信信号に拡張して、複数の前記背板コネクターにそれぞれ伝送し、前記背板コネクターは、前記ハードディスクに電気的に接続されて、前記ハードディスクに前記ハードディスク通信信号を供給することを特徴とするハードディスク容量の拡張装置。
【請求項２】
前記ゴールドフィンガーは、複数の信号伝送端子及び複数の給電端子を備え、前記信号伝送端子は、信号線を介して前記信号拡張モジュールに電気的に接続され、前記給電端子は、前記信号伝送端子と間隔をあけて設けられ、且つ前記メインボードが出力する電圧信号を獲得することを特徴とする請求項１に記載のハードディスク容量の拡張装置。
【請求項３】
前記給電端子と前記信号拡張モジュールとの間に電気的に接続されて、前記給電端子が転送する電圧信号を前記信号拡張モジュールに所要する作動電圧に転換する電圧調節モジュールをさらに備えることを特徴とする請求項２に記載のハードディスク容量の拡張装置。
【請求項４】
前記信号拡張モジュールに電気的に接続されて、前記信号拡張モジュールが転送するハードディスク通信信号を受信し、且つ前記ハードディスク容量の拡張装置の外部の独立ディスク冗長アレイカード（ＲＡＩＤカード）と接続するために用いられる外部コネクターをさらに備えることを特徴とする請求項１に記載のハードディスク容量の拡張装置。
【請求項５】
ハードディスク容量の拡張装置及びメインボードを備えるハードディスク容量の拡張モジュールであって、
前記ハードディスク容量の拡張装置は、メインボードとハードディスクとに接続され、且つ基板、ゴールドフィンガー、信号拡張モジュール及び複数の背板コネクターを備え、
前記ゴールドフィンガーは、前記基板の一方側の側辺に設けられ、且つ前記メインボードに挿入接続されて前記メインボードが転送するハードディスク通信信号を獲得し、前記信号拡張モジュールは、前記ゴールドフィンガーと複数の前記背板コネクターとに同時に電気的に接続され、且つ１つのグループの前記ハードディスク通信信号を複数のグループのハードディスク通信信号に拡張して、複数の前記背板コネクターにそれぞれ伝送し、前記背板コネクターは、前記ハードディスクに電気的に接続されて、前記ハードディスクに前記ハードディスク通信信号を供給することを特徴とするハードディスク容量の拡張モジュール。
【請求項６】
前記メインボードには、拡張コネクターが設けられ、前記ゴールドフィンガーは、前記メインボードの拡張コネクターに着脱可能に挿入接続されることを特徴とする請求項５に記載のハードディスク容量の拡張モジュール。
【請求項７】
前記メインボードには、前記拡張コネクターに電気的に接続され、且つ前記ハードディスク通信信号を出力するためのプラットフォーム制御ユニットがさらに設けられることを特徴とする請求項６に記載のハードディスク容量の拡張モジュール。
【請求項８】
前記メインボードには、前記ゴールドフィンガーを介して前記ハードディスク容量の拡張装置に給電する電源モジュールがさらに設けられることを特徴とする請求項７に記載のハードディスク容量の拡張モジュール。
【発明の詳細な説明】
【技術分野】
【０００１】
本発明は、コンピューターのハードウェアの拡張装置に関し、特にハードディスク（ｈａｒｄ  ｄｉｓｋ）容量の拡張装置及びハードディスク容量の拡張モジュールに関するものである。
【背景技術】
【０００２】
Ｉｎｔｅｌが開発した最新のＰａｔｓｂｕｒｇプラットフォームにおいて、そのプラットフォーム制御ユニット（Ｐｌａｔｆｏｒｍ  Ｃｏｎｔｒｏｌｌｅｒ  Ｈｕｂ，ＰＣＨ）には、シリアルＡＴＡ（Ｓｅｒｉａｌ  Ａｄｖａｎｃｅｄ  Ｔｅｃｈｎｏｌｏｇｙ  Ａｔｔａｃｈｍｅｎｔ，ＳＡＴＡ）及びシリアル接続ＳＣＳＩ（Ｓｅｒｉａｌ  Ａｔｔａｃｈｅｄ  ＳＣＳＩ，ＳＡＳ）という２種の標準のコントローラが集成されて、８路ＳＡＳ２．０及び６路ＳＡＴＡ３．０をそれぞれ支持する。ＳＡＴＡ及びＳＡＳの速度は、いずれも６Ｇｂ／ｓに達するので、サーバー及びメモリーのメインボードに好適に応用されることができる。
【０００３】
実際の使用中において、前記Ｐａｔｓｂｕｒｇプラットフォームは、より大きい容量の格納空間を必要とする場合、十分足りる容量の格納空間を得るために、前記メインボードにＳＡＳ／ＳＡＴＡ拡張ボードを別に接続しなければならない。従来のＳＡＳ／ＳＡＴＡ拡張ボードは、殆んど接続ケーブル及び独立ディスク冗長アレイカード（Ｒｅｄｕｎｄａｎｔ  Ａｒｒａｙ  ｏｆ  Ｉｎｄｅｐｅｎｄｅｎｔ  Ｄｉｓｋｓ，ＲＡＩＤ）を介してメインボードに接続されるので、システム配線の接続状況を複雑にさせる問題がある。
【発明の概要】
【発明が解決しようとする課題】
【０００４】
以上の問題点に鑑みて、本発明は、システム配線の接続が簡潔であるハードディスク容量の拡張装置及びこれを備えたハードディスク容量の拡張モジュールを提供することを目的とする。
【課題を解決するための手段】
【０００５】
上記の目的を達成するために、本発明に係るハードディスク容量の拡張装置は、メインボードとハードディスクとに接続され、且つ基板、ゴールドフィンガー、信号拡張モジュール及び複数の背板コネクターを備える。前記ゴールドフィンガーは、前記基板の一方側の側辺に設けられ、且つ前記メインボードに挿入接続されて前記メインボードが転送するハードディスク通信信号を獲得し、前記信号拡張モジュールは、前記ゴールドフィンガーと複数の前記背板コネクターとに同時に電気的に接続され、且つ１つのグループの前記ハードディスク通信信号を複数のグループのハードディスク通信信号に拡張して、複数の前記背板コネクターにそれぞれ伝送し、前記背板コネクターは、前記ハードディスクに電気的に接続されて、前記ハードディスクに前記ハードディスク通信信号を供給する。
【０００６】
また、上記の目的を達成するために、本発明に係るハードディスク容量の拡張モジュールは、ハードディスク容量の拡張装置及びメインボードを備え、前記ハードディスク容量の拡張装置は、メインボードとハードディスクとに接続され、且つ基板、ゴールドフィンガー、信号拡張モジュール及び複数の背板コネクターを備え、前記ゴールドフィンガーは、前記基板の一方側の側辺に設けられ、且つ前記メインボードに挿入接続されて前記メインボードが転送するハードディスク通信信号を獲得し、前記信号拡張モジュールは、前記ゴールドフィンガーと複数の前記背板コネクターとに同時に電気的に接続され、且つ１つのグループの前記ハードディスク通信信号を複数のグループのハードディスク通信信号に拡張して、複数の前記背板コネクターにそれぞれ伝送し、前記背板コネクターは、前記ハードディスクに電気的に接続されて、前記ハードディスクに前記ハードディスク通信信号を供給する。
【発明の効果】
【０００７】
従来の技術と比較して、本発明は、ハードディスク容量の拡張装置の基板にゴールドフィンガーを設けることによって、前記ハードディスク容量の拡張装置をメインボードに直接に挿入接続するので、従来の接続ケーブルによる複雑な接続を避けて、ハードウェアの構造を効果的に簡素化するだけではなく、設計コストも低減した。これと同時に、本発明のハードディスク容量の拡張装置の信号拡張モジュールは、複数のグループのハードディスク通信信号を拡張して、格納容量をさらに拡大することができる。
【図面の簡単な説明】
【０００８】
【図１】本発明の実施形態に係るハードディスク容量の拡張装置の機能モジュールを示すブロック図である。
【図２】図１に示したハードディスク容量の拡張装置のメインボードのブロック図である。
【発明を実施するための形態】
【０００９】
図１及び図２に示したように、本発明の実施形態に係るハードディスク容量の拡張装置１００は、Ｐａｔｓｂｕｒｇプラットフォームに応用される。前記ハードディスク容量の拡張装置１００は、コンピューター等の端末装置（図示せず）のメインボード２００に挿入接続されて、前記メインボード２００が発送する作動信号を少なくとも１つのハードディスク（図示せず）に転送する。前記ハードディスク容量の拡張装置１００及び前記メインボード２００は、１つのハードディスク容量の拡張モジュール（図示せず）を構成する。また、前記ハードディスク容量の拡張装置１００は、ＳＡＳ或いはＳＡＴＡタイプのハードディスクの容量を拡張することができる。以下の実施形態において、ＳＡＳハードディスクを拡張することを例として詳細に説明する。
【００１０】
前記メインボード２００には、プラットフォーム制御ユニット（ＰＣＨ）２２０、拡張コネクター２４０及び電源モジュール２６０が設けられている。前記プラットフォーム制御ユニット２２０は、１つのグループのハードディスク通信信号（例えばＳＡＳ通信信号）を出力するために用いられる。本実施形態において、１つのグループは、ｎ条配線を含み、且つｎ＝４である。前記拡張コネクター２４０は、標準的な高速外部コンポーネントインターコネクトエクスプレス×４（Ｐｅｒｉｐｈｅｒａｌ  Ｃｏｍｐｏｎｅｎｔ  Ｉｎｔｅｒｃｏｎｎｅｃｔ−Ｅｘｐｒｅｓｓ，ＰＣＩＥ×４）のコネクターであり、且つ前記プラットフォーム制御ユニット２２０及び前記電源モジュール２６０と同時に電気的に接続されて、前記プラットフォーム制御ユニット２２０が転送してくるハードディスク通信信号及び前記電源モジュール２６０が転送してくる電圧信号をそれぞれ受信する。
【００１１】
前記ハードディスク容量の拡張装置１００は、回路基板１０、ゴールドフィンガー（ｇｏｌｄ  ｆｉｎｇｅｒ）２０、電圧調節モジュール３０、信号拡張モジュール４０、複数の背板コネクター５０及び外部コネクター６０を備える。前記ゴールドフィンガー２０、前記電圧調節モジュール３０、前記信号拡張モジュール４０、前記背板コネクター５０及び前記外部コネクター６０は、皆前記回路基板１０に設けられる。本実施形態において、前記背板コネクター５０の数は、三つである。
【００１２】
前記ゴールドフィンガー２０は、前記回路基板１０の長手方向の一方側の側辺に設けられ、且つ標準的なＰＣＩＥ×４のゴールドフィンガーを採用する。前記ゴールドフィンガー２０は、前記メインボード２００の拡張コネクター２４０に着脱可能に差し込まれ且つ前記拡張コネクター２４０と電気的に接続されて、前記拡張コネクター２４０から上記したハードディスク通信信号及び電圧信号を獲得する。前記ゴールドフィンガー２０は、複数の信号伝送端子２２及び前記信号伝送端子２２と間隔をあけて設けられる複数の給電端子２４を備える。前記信号伝送端子２２は、４条信号線を介して前記信号拡張モジュール４０と電気的に接続されて、前記ハードディスク通信信号を前記信号拡張モジュール４０に転送する。前記給電端子２４は、前記電圧調節モジュール３０と電気的に接続されて、前記電圧信号を前記電圧調節モジュール３０に転送する。
【００１３】
前記ゴールドフィンガー２０が存在するため、前記ハードディスク容量の拡張装置１００は、前記メインボード２００に着脱可能で且つ直接に挿入接続されて、従来の接続ケーブルを要せず、ハードウェアの構造を効果的に簡素化し且つ設計コストを低減した。
【００１４】
前記電圧調節モジュール３０は、前記信号拡張モジュール４０と電気的に接続され、且つ前記給電端子２４が転送する電圧信号を調整して、それを前記信号拡張モジュール４０が所要する作動電圧に転換して、前記信号拡張モジュール４０に給電する。
【００１５】
前記信号拡張モジュール４０は、複数の信号線を介して三つの前記背板コネクター５０及び１つの前記外部コネクター６０と同時に電気的に接続される。前記信号拡張モジュール４０は、前記信号伝送端子２２が転送する１つのグループのハードディスク通信信号を複数のグループのハードディスク通信信号に拡張し、且つ複数のグループのハードディスク通信信号を三つの前記背板コネクター５０及び１つの前記外部コネクター６０にそれぞれ伝送する。上述したように、１つのグループのハードディスク通信信号が４条配線のハードディスク通信信号を含むと、前記信号拡張モジュール４０によって、前記１つのグループのハードディスク通信信号は、４×４条配線のハードディスク通信信号に拡張される。
【００１６】
各背板コネクター５０は、前記回路基板１０の短手方向の一方側に設けられ、且つ１つの背板（図示せず）に接続されて、前記背板を介して前記ＳＡＳハードディスクに電気的に接続されて、前記ＳＡＳハードディスクに１つのグループ（４条配線）のハードディスク通信信号を伝送する。これにより、複数のＳＡＳハードディスクは、前記メインボード２００のプラットフォーム制御ユニット２２０と通信関係を同時に確立することができる。
【００１７】
前記外部コネクター６０は、前記回路基板１０の短手方向の他方側に設けられ、且つ前記ハードディスク容量の拡張装置１００の外部に設けられた独立ディスク冗長アレイカード（以下、ＲＡＩＤカードと略称する）に接続されて、前記ＲＡＩＤカードを介してバックアップとする外部ハードディスクに接続される。
【００１８】
また、ハードディスクの容量に対する需要に基づいて前記背板コネクター５０の数を増減することができる。
【００１９】
より大きい容量の格納空間を必要する場合、前記ハードディスク容量の拡張装置１００を前記ゴールドフィンガー２０を介して前記メインボード２００の拡張コネクター２４０に挿入接続し、且つ前記背板コネクター５０を前記ＳＡＳハードディスクに接続する。これによって、前記信号伝送端子２２は、前記プラットフォーム制御ユニット２２０から１つのグループのハードディスク通信信号を獲得すると共に、前記給電端子２４は、前記電源モジュール２６０から電圧信号を獲得する。前記電圧信号は、前記電圧調節モジュール３０により調整された後、前記信号拡張モジュール４０に作動電圧を供給する。前記信号拡張モジュール４０は、前記信号伝送端子２２が転送する１つのグループのハードディスク通信信号を受信し、且つそれを四つのグループ（４×４条配線）のハードディスク通信信号に拡張して、前記背板コネクター５０及び前記外部コネクター６０にそれぞれ伝送する。このように、複数のＳＡＳハードディスクと前記メインボード２００との通信関係が確立され、格納容量を拡大する目的を達する。
【００２０】
また、格納容量をさらに拡大する必要があれば、前記外部コネクター６０をＲＡＩＤカードに接続して、前記ＲＡＩＤカードを介して外部のハードディスクに接続する。
【００２１】
上記の実施形態によると、本発明のハードディスク容量の拡張モジュールは、前記ハードディスク容量の拡張装置１００にゴールドフィンガー２０を設け、且つこのゴールドフィンガー２０を前記メインボード２００に直接に挿入接続することによって、従来の接続ケーブルによる複雑な接続を避けて、ハードウェアの構造を効果的に簡素化するだけではなく、設計コストも低減した。これと同時に、前記ハードディスク容量の拡張装置１００の信号拡張モジュール４０は、複数のグループのＳＡＳ或いはＳＡＴＡハードディスク通信信号を拡張して、前記背板コネクター５０及び前記外部コネクター６０を介して格納容量をさらに拡大することができる。
【００２２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２３】
１０                回路基板
２０                ゴールドフィンガー
２２                信号伝送端子
２４                給電端子
３０                電圧調節モジュール
４０                信号拡張モジュール
５０                背板コネクター
６０                外部コネクター
１００              ハードディスク容量の拡張装置
２００              メインボード
２２０              プラットフォーム制御ユニット
２４０              拡張コネクター
２６０              電源モジュール
【図１】
2013008367.tif 000003
【図２】
2013008367.tif 000004